(57)【要約】  本発明は、画像コントラスト強調に関する。各取得画像に向上されかつ安定したコントラスト強調を提供するために、血管構造のＸ線画像の画像コントラスト強調のためのデバイス１０が提供される。デバイス１０は、入力ユニット１２及び処理ユニット１４を含む。入力ユニットは、造影剤が注入された状態の血管構造の取得Ｘ線画像を提供する。造影剤注入は、少なくとも１つの造影剤注入パラメータを有する現在の造影剤注入設定で行われる。入力ユニットは更に、一般的な血管構造を提供する。入力ユニットはまた、現在の造影剤注入設定を提供する。処理ユニットは、現在の造影剤注入設定に基づいて、一般的な血管構造の評価されたコントラストパラメータを決定する。処理ユニットは更に、評価されたコントラストパラメータに基づいて、一般的な血管構造の適応画像コントラスト強調を決定する。処理ユニットはまた、適応画像コントラスト強調を取得Ｘ線画像に適用して、コントラスト強調されたＸ線画像を生成する。
2020525152.tif 000002
【特許請求の範囲】
【請求項１】
血管構造のＸ線画像の画像コントラスト強調のためのデバイスであって、
入力ユニットと、
処理ユニットと、
を含み、
前記入力ユニットは、造影剤注入での血管構造の取得Ｘ線画像を提供し、前記造影剤注入は、少なくとも１つの造影剤注入パラメータを有する現在の造影剤注入設定で行われ、
前記入力ユニットは、一般的な血管構造を提供し、
前記入力ユニットは、前記現在の造影剤注入設定を提供し、
前記処理ユニットは、前記現在の造影剤注入設定に基づいて、前記一般的な血管構造の少なくとも一部の評価されたコントラストパラメータを決定し、前記評価されたコントラストパラメータに基づいて、前記一般的な血管構造の適応画像コントラスト強調を決定し、前記適応画像コントラスト強調を前記取得Ｘ線画像に適用して、コントラスト強調されたＸ線画像を生成する、デバイス。
【請求項２】
出力ユニットが設けられ、前記出力ユニットは、前記コントラスト強調されたＸ線画像を提供し、好適には、前記出力ユニットはディスプレイユニットである、請求項１に記載のデバイス。
【請求項３】
Ｘ線撮像デバイスと、
造影剤注入装置と、
請求項１又は２に記載の血管構造のＸ線画像の画像コントラスト強調のためのデバイスと、
を含み、
前記Ｘ線撮像デバイスは、造影剤注入での血管構造の前記Ｘ線画像を取得し、
前記造影剤注入装置は、前記現在の造影剤注入設定での前記造影剤注入を提供する、Ｘ線撮像システム。
【請求項４】
前記造影剤注入装置は、少なくとも１つの造影剤注入パラメータを有する前記現在の造影剤注入設定で前記造影剤注入を行う、請求項３に記載のシステム。
【請求項５】
前記造影剤注入設定は、送達されたヨード濃縮物、注入タイミング、注入量、注入速度、ヨード濃縮物の粘度及びリアルタイム圧力曲線の群のうちの少なくとも１つの造影剤注入パラメータを含む、請求項３又は４に記載のシステム。
【請求項６】
血管構造のＸ線画像の画像コントラスト強調するための方法であって、
ａ）造影剤注入での血管構造の取得Ｘ線画像を提供するステップであって、前記造影剤注入は、少なくとも１つの造影剤注入パラメータを有する現在の造影剤注入設定で行われる、ステップと、
ｂｌ）一般的な血管構造を提供するステップと、
ｂ２）前記現在の造影剤注入設定を提供するステップと、
ｃ）前記現在の造影剤注入設定に基づいて、前記一般的な血管構造の少なくとも一部の評価されたコントラストパラメータを決定するステップと、
ｄ）前記評価されたコントラストパラメータに基づいて、前記一般的な血管構造の適応画像コントラスト強調を決定するステップと、
ｅ）コントラスト強調されたＸ線画像を生成するために、前記適応画像コントラスト強調を、患者の前記血管構造の前記取得Ｘ線画像に適用するステップと、
を含む、方法。
【請求項７】
ステップａ）について、造影剤注入での血管構造の前記Ｘ線画像を取得するステップが提供され、前記造影剤注入は、少なくとも１つの造影剤注入パラメータを有する前記現在の造影剤注入設定で行われる、請求項６に記載の方法。
【請求項８】
ステップｅ）の前に、前記取得Ｘ線画像の現在のコントラストパラメータが決定され、
前記現在のコントラストパラメータが所定の閾値を下回る場合、ステップe）が行われる、請求項６又は７に記載の方法。
【請求項９】
前記造影剤注入設定は、送達されたヨード濃縮物、注入タイミング、注入量、注入速度、ヨード濃縮物の粘度及び前記血管構造の少なくとも１つの血管のリアルタイム圧力曲線の群のうちの少なくとも１つの造影剤注入パラメータを含む、請求項６から８のいずれか一項に記載の方法。
【請求項１０】
ステップａ）の間に、
ａ１）造影剤注入設定で造影剤を注入するステップが更に提供される、請求項６から９のいずれか一項に記載の方法。
【請求項１１】
ステップｂ１）において、現在の患者の現在の特定の血管構造に関連する適応血管構造が提供される、請求項６から１０のいずれか一項に記載の方法。
【請求項１２】
処理ユニットによって実行されると、請求項６から１１のいずれか一項に記載の方法のステップを行うように適応される、請求項１から５のいずれか一項に記載の装置を制御するためのコンピュータプログラム。
【請求項１３】
請求項１２に記載のコンピュータプログラムを格納した、コンピュータ可読媒体。
【発明の詳細な説明】
【技術分野】
【０００１】
本発明は、血管構造のＸ線画像の画像コントラスト強調のためのデバイス、上記デバイスを有するシステム、血管構造のＸ線画像の画像コントラスト強調方法、上記デバイスを制御するためのコンピュータプログラム要素及びコンピュータプログラム要素を格納したコンピュータ可読媒体に関する。
【背景技術】
【０００２】
Ｘ線画像では、見る人のために画質を向上させるためにコントラスト強調（ＣＥ）が提供される。コントラスト強調は、周波数分解のフレームワークにおいて実現することができる。例えば画像は、例えばいわゆるラプラシアンピラミッドを使用して、特定数の周波数サブバンドに分解される。強調したい解剖学的又は介入の詳細は、これらの周波数サブバンドの幾つかにわたって広げられる。全体のスペクトルを再構成する前に、局所強度に依存するゲインがこれらのサブバンドのコンテンツに適用されて強調が行われる。米国特許第７８２１２６６Ｂ２号では、向上された画質、したがって、十分な信号対ノイズ比でより良い画像コントラストを実現するために、シミュレーション画像が計算され、オペレータがオンラインで撮像パラメータを仮想的に最適化して変更することができる。米国特許第９００８７５９Ｂ２号では、患者内の流体の伝播を記述するモデルが提供され、注入手順のパラメータが決定されて、所望の強調レベルがもたらされる。しかし、コントラスト強調は依然として常に十分な結果をもたらすとは限らないことが示されている。
【発明の概要】
【発明が解決しようとする課題】
【０００３】
したがって、各取得画像に向上されかつ安定したコントラスト強調を提供する必要がある。
【課題を解決するための手段】
【０００４】
第１の態様によれば、血管構造のＸ線画像の画像コントラスト強調のためのデバイスが提供される。デバイスは、入力ユニットと処理ユニットとを含む。入力ユニットは、造影剤が注入された状態の血管構造の取得Ｘ線画像を提供する。造影剤注入は、少なくとも１つの造影剤注入パラメータを有する現在の造影剤注入設定で行われる。入力ユニットは、一般的な血管構造を提供する。入力ユニットは、現在の造影剤注入設定を提供する。処理ユニットは、現在の造影剤注入設定に基づいて、一般的な血管構造の評価されたコントラストパラメータを決定する。処理ユニットは、評価されたコントラストパラメータに基づいて、一般的な血管構造の適応画像コントラスト強調を決定する。処理ユニットはまた、適応画像コントラスト強調を取得Ｘ線画像に適用して、コントラスト強調されたＸ線画像を生成する。
【０００５】
一例では、現在の注入設定は処理ユニットに読み込まれる。
【０００６】
一例では、一般的な血管構造は処理ユニットに読み込まれる。
【０００７】
一例では、一般的な血管構造は、少なくとも画像がキャプチャされるべき標的血管構造について提供される。
【０００８】
「取得」との用語はまた、キャプチャと呼ぶこともできる。
【０００９】
「造影剤注入」との用語はまた、例えば造影剤の希釈物を物体に送るデバイスを用いた造影剤の送達又は供給と呼ぶこともできる。
【００１０】
「一般的な血管構造」との用語はまた、人間の血管の理論モデルと呼ぶこともできる。
【００１１】
「評価されたコントラストパラメータ」との用語はまた、血管構造内の造影剤の分布及び／又は濃度といったコントラストパラメータの推定又は予測と呼ぶこともできる。評価されたコントラストパラメータは、コントラスト強調されたＸ線画像における血管構造の少なくとも一部のコントラストの推定値を表し、また、現在の注入設定といった造影剤の特定の特性に依存する。
【００１２】
適応画像コントラスト強調はまた、画質を向上させるための強調パラメータと呼ぶこともできる。適応画像コントラスト強調はまた、動的コントラスト強調又は予測動的コントラスト強調と呼ぶこともできる。
【００１３】
一例では、処理ユニットはまた、評価されたコントラストパラメータが所定閾値を下回るか、等しいか又は上回るかを決定する。
【００１４】
一例では、処理ユニットは、評価されたコントラストパラメータに基づいて、一般的な血管構造の適応画像コントラスト強調を決定するアルゴリズムを行う。
【００１５】
一例では、適応画像コントラスト強調は、処理ユニット上で動作するコントラスト強調手順又はプログラムによって適用することができる。例えば特定の画像特徴のブースト又は調整を伴う画像処理アルゴリズムが提供されてよい。
【００１６】
一例では、入力ユニット又は入力インターフェースは、現在の造影剤注入設定を読み込む。
【００１７】
一例では、例えば患者に腎臓病があることにより、ヨード濃縮物の量を減少させることが好適である場合、対応する適応造影剤注入設定が適用される。一般的な血管構造のこの評価されたコントラストパラメータは、別の値を下回るか又は少なくとも当該別の値と異なると予測され、これは、評価されたコントラストパラメータの決定によって規定することができる。この情報に基づいて、血管ブースト又はコントラスト強調の前に、Ｘ線でキャプチャされる血管のコントラストを推測することができる。
【００１８】
したがって、適応コントラスト強調は、現在の注入設定に基づいて画質を向上させるために情報に依存する。つまり、適応画像コントラスト強調は、画像の動的ブーストである。例えば適用されるコントラスト強調手順は、現在の注入設定によって決定されるが、これは患者の特性（例えば腎臓病）に依存する。
【００１９】
上記腎臓病患者の例に関して、ヨード濃度を、腎臓病のない他の患者に比べて低くする必要がある。患者の血管のキャプチャされる画像のブーストは、この注入パラメータのこの適応を考慮することにより適応させることができる。
【００２０】
一例では、評価されたコントラストパラメータに基づく一般的な血管構造の適応画像コントラスト強調は、強調アルゴリズムによって行われる。
【００２１】
例えば血管構造の主要血管の評価されたコントラストパラメータを使用して、一般的な血管構造の現在のＸ線画像又はシミュレートされたＸ線画像といったＸ線画像の関連の周波数サブバンドのコンテンツに適用されるルックアップテーブル及びゲインがスケーリングされる。
【００２２】
一例では、典型的な形状の典型的な患者について、典型的な（＝高）ヨード濃度で得られた画像内の血管コントラストは、望ましいコントラスト若しくは基準コントラスト又はいわゆる閾値と仮定することができる。これはコントラスト強調パラメータの基準値を有してよい。
【００２３】
他の状況では、例えば希釈されたヨード濃度の使用が原因で（例えば現在の造影剤濃度パラメータが基準値の半分）、Ｘ線画像における結果として得られる血管コントラストは低くなる。したがって、血管が見えにくくなったり、インターベンション医師や医師が絶対基準レベルを見逃したりする可能性がある。この例では、現在の造影剤注入設定に基づいて決定される画像コントラスト強調係数の値は、例えば２である。したがって、取得Ｘ線画像に適用される血管コントラスト強調は、２倍にブーストすることができる。
【００２４】
この結果、Ｘ線画像に向上されかつ安定したコントラスト強調が適用され、例えば病変を含む解剖学的構造の不透明化及び輪郭描写が最適化される。
【００２５】
一例によれば、デバイスは更に出力ユニットを含む。出力ユニットは、動的にコントラスト強調されたＸ線画像を提供する。出力ユニットは、例えばディスプレイユニット又はモニタである。
【００２６】
出力ユニットは、グラフィカルユーザ出力インターフェースといった出力インターフェースと呼ぶこともできる。一例では、出力ユニットは、キャプチャされる画像に適応画像強調を適用した後に修正された画像データを送信する。
【００２７】
第２の態様によれば、Ｘ線撮像システムが提供される。Ｘ線撮像システムは、Ｘ線撮像デバイスと、造影剤注入装置と、血管構造のＸ線画像の画像コントラスト強調のためのデバイスとを含む。Ｘ線撮像デバイスは、造影剤が注入された状態の血管構造のＸ線画像を取得する。造影剤注入装置は、少なくとも１つの造影剤注入パラメータを有する現在の造影剤注入設定で造影剤注入を行う。
【００２８】
一例では、造影剤注入装置はまた、注入器又は造影剤注入器と呼ぶこともできる。
【００２９】
一例では、造影剤注入装置は、現在の造影剤注入設定を変更及び／又は適応させる。造影剤注入装置は、入力インターフェースを介して現在の造影剤注入設定を処理ユニットに送信する。一例では、データ送信は、処理ユニットへの無線接続であっても、例えばケーブル接続を介する他のタイプのデータ送信であってもよい。
【００３０】
一例によれば、造影剤注入設定は、送達されたヨード濃縮物、注入タイミング、注入量、注入速度、ヨード濃縮物の粘度及び注入リアルタイム圧力曲線の群のうちの少なくとも１つの造影剤注入パラメータを含む。
【００３１】
「リアルタイム圧力曲線」との用語は、注入されたヨードのリアルタイム濃度、即ち、濃縮物が注入される際の圧力に関する。
【００３２】
第３の態様によれば、血管構造のＸ線画像の画像コントラスト強調方法が提供される。方法は、以下のステップを含む。
ａ）第１のステップでは、造影剤が注入された状態の血管構造の取得Ｘ線画像が提供される。造影剤注入は、少なくとも１つの造影剤注入パラメータを有する現在の造影剤注入設定で行われる。
ｂｌ）次のステップでは、一般的な血管構造が提供される。
ｂ２）更に次のステップでは、現在の注入設定が提供される。
ｃ）別の次のステップでは、現在の造影剤注入設定に基づいて、一般的な血管構造の少なくとも一部の評価されたコントラストパラメータが決定される。
ｄ）次のステップでは、評価されたコントラストパラメータに基づいて、一般的な血管構造の適応画像コントラスト強調が決定される。
ｅ）更なる次のステップでは、適応画像コントラスト強調が、患者の血管構造の取得Ｘ線画像に適用されて、コントラスト強調されたＸ線画像が生成される。
【００３３】
一例では、ステップｄ）において、コントラストパラメータの評価は、少なくとも患者の血管構造の画像がキャプチャされる標的血管構造に対して行われる。
【００３４】
一例では、ステップａ）〜ｅ）は異なる順序で配置される。例えばステップａ）の前にステップｂｌ）及び／又はｂ２）を行ってよい。
【００３５】
一態様によれば、取得Ｘ線画像の状況に応じてコントラストブースト又はコントラスト強調を適応させることにより、取得Ｘ線画像の画質が向上される。したがって、コントラスト強調は動的に行われる。例えば太った患者の画像をキャプチャする場合、適応コントラスト強調パラメータは、痩せた患者よりも高いレベルに適応される。
【００３６】
本発明のこれらの態様及び他の態様は、以下に説明される実施形態から明らかになり、当該実施形態を参照して説明される。
【図面の簡単な説明】
【００３７】
本発明の例示的な実施形態を、次の図面を参照して以下に説明する。
【００３８】
【図１】図１は、血管構造のＸ線画像の画像コントラスト強調のためのデバイスの一例を示す。
【図２】図２は、上記デバイスを有するＸ線撮像システムの一例を示す。
【図３】図３は、血管構造のＸ線画像の画像コントラスト強調方法の一例を示す。
【図４】図４は、上記方法の別の例を示す。
【発明を実施するための形態】
【００３９】
図１は、血管構造のＸ線画像の画像コントラスト強調のためのデバイス１０を示す。デバイス１０は、入力ユニット１２と処理ユニット１４とを含む。入力ユニット１２は、（図２に示すように）造影剤が注入された状態の血管構造の取得Ｘ線画像を提供する。造影剤注入は、少なくとも１つの造影剤注入パラメータを有する現在の造影剤注入設定で行われる。入力ユニット１２は、一般的な血管構造を提供する。入力ユニット１２はまた、現在の造影剤注入設定も提供する。処理ユニット１４は、現在の造影剤注入設定に基づいて、一般的な血管構造の評価されたコントラストパラメータを決定する。処理ユニット１４はまた、評価されたコントラストパラメータに基づいて、一般的な血管構造に対する適応画像コントラスト強調を決定する。処理ユニット１４は更に、適応画像コントラスト強調を取得Ｘ線画像に適用して、コントラスト強調されたＸ線画像を生成する。
【００４０】
一例では、（図２に示すように）出力ユニットが設けられる。出力ユニットは、コントラスト強調されたＸ線画像を提供する。一例では、出力ユニットは、コントラスト強調されたＸ線画像を表示するディスプレイユニットである。
【００４１】
図２は、Ｘ線撮像システム２０を示す。Ｘ線撮像システム２０は、Ｘ線撮像デバイス２２と、造影剤注入装置２４と、上述したような及び以下で説明するような血管構造のＸ線画像の画像コントラスト強調のためのデバイス１０の例のうちの１つとを含む。Ｘ線撮像デバイスは、造影剤２８が注入された状態の血管構造のＸ線画像を取得する。造影剤注入装置は、少なくとも１つの造影剤注入パラメータを有する現在の造影剤注入設定で造影剤２８の注入を行う。
【００４２】
一例では、造影剤注入装置２４は、少なくとも１つの造影剤注入パラメータを有する現在の造影剤注入設定で造影剤２８の注入を行う。一例では、現在の造影剤注入設定はデバイス１０に送信される（接続線によって示す）。
【００４３】
一例では、取得Ｘ線画像は、接続線３２で示すように、デバイス１０に送信される。
【００４４】
図２は更に、Ｘ線画像の取得中にテーブル３６上に横たわる患者３４を示す。
【００４５】
一例では、Ｘ線画像の取得は、造影剤希釈剤の注入と並行して行われる。
【００４６】
一例では、現在の造影剤注入設定は、Ｘ線画像の取得と並行してデバイスに送信される。
【００４７】
別の例では、現在の、即ち、適用された造影剤注入設定は、Ｘ線画像の取得後に送信される。
【００４８】
一例では、造影剤注入装置２４は可動である。
【００４９】
一例では、造影剤注入設定は、送達されたヨード濃縮物、注入タイミング、注入量、注入速度、ヨード濃縮物の粘度及びリアルタイム圧力曲線の群のうちの少なくとも１つの造影剤注入パラメータを含む。
【００５０】
図３は、血管構造のＸ線画像の画像コントラスト強調方法３００を示す。方法は次のステップを含む。ステップａ）とも呼ぶ第１のステップ３０２において、造影剤が注入された状態の血管構造の取得Ｘ線画像が提供される。造影剤注入は、少なくとも１つの造影剤注入パラメータを有する現在の造影剤注入設定で行われる。ステップｂ１）とも呼ぶ次のステップ３０４において、一般的な血管構造が提供される。ステップｂ２）とも呼ぶ更なる次のステップ３０６において、現在の注入設定が提供される。ステップｃ）とも呼ぶ次のステップ３０８において、現在の造影剤注入設定に基づいて、一般的な血管構造の評価されたコントラストパラメータが決定される。ステップｄ）とも呼ぶ更に次のステップ３１０において、評価されたコントラストパラメータに基づいて、一般的な血管構造の適応画像コントラスト強調が決定される。ステップｅ）とも呼ぶ次のステップ３１２において、適応画像コントラスト強調が患者の血管構造の取得Ｘ線画像に適用されて、コントラスト強調されたＸ線画像が生成される。
【００５１】
一例では、ステップ３０２について、造影剤が注入された状態の血管構造のＸ線画像を取得するステップが提供されるが、造影剤注入は、少なくとも１つの造影剤注入パラメータを有する現在の造影剤注入設定で行われる。つまり、Ｘ線画像は、現在の注入設定の送信と少なくともほぼ並行して取得される。
【００５２】
一例では、造影剤注入設定は、送達されたヨード濃縮物、注入タイミング、注入量、注入速度、ヨード濃縮物の粘度及び血管構造の少なくとも１つの血管のリアルタイム圧力曲線の群のうちの少なくとも１つの造影剤注入パラメータを含む。
【００５３】
図示されていない例では、ステップａ）の間に、造影剤注入設定で造影剤を注入するステップが更に提供される。更なる図示されていない例では、ステップｂ１）において、現在の患者の現在の特定の血管構造に関連する適応血管構造が提供される。患者の特定の血管構造を提供することにより、評価されたコントラストパラメータをより正確に決定することができる。一例では、特定の血管構造は、以前の測定、例えば他の撮像手順から得ることができる。
【００５４】
更なる図示されていない例では、コントラストパラメータが所定閾値を下回る場合、適応画像コントラスト強調が決定され適用される。コントラストパラメータが所定閾値を超える場合、適応画像コントラスト強調は適用されない。
【００５５】
一例では、閾値は、以前の測定又は調査により推定又は定義することができる。
【００５６】
図４は、方法４００の別の例示的な実施形態を示す。ステップ４０２において、標的血管構造の血管モデルといった一般的な血管構造が提供される。一例では、特定の血管モデルを改良として作成することができる。改良には、患者モデルが含まれてよい。
【００５７】
ステップ４０４において、注入された造影剤の特性、即ち、希釈、量、速度、リアルタイム圧力曲線、粘度、造影剤の種類、マルチヘッド注入器設定又はマルチシリンジ選択といった１つ以上の造影剤注入パラメータのいわゆる現在の設定がデバイスに送信される。
【００５８】
ステップ４０２及び４０４から、ステップ４０６におけるブーストの前に、血管モデルのコントラストを推定又は評価することができる。ステップ４０８において、ステップ４０６での推定に基づいて、評価に従って画像コントラスト強調を決定することができ、その後、取得Ｘ線画像に適用することができる。
【００５９】
つまり、例えばＸ線画像の動的コントラスト強調が提供され、これにより、コントラストは、血管構造の少なくとも主要血管のコントラストの予測を使用して動的に適応される。予測は、現在の造影剤注入設定に従って造影剤が注入された場合に、これらの血管の一般的なモデルのＸ線画像において得られるコントラストの評価に基づいている。造影剤は、希釈又は非希釈造影剤であってよい。
【００６０】
本発明の別の例示的実施形態では、適切なシステム上で、前述の実施形態の１つによる方法の方法ステップを実行するように適応されることを特徴とするコンピュータプログラム又はコンピュータプログラム要素が提供される。
【００６１】
したがって、コンピュータプログラム要素は、コンピュータユニットに記憶されていてもよい。当該コンピュータユニットも、本発明の一実施形態の一部であってよい。当該コンピュータユニットは、上記方法のステップを行うか又はステップの実行を誘導する。更に、コンピュータユニットは、上記装置のコンポーネントを動作させる。コンピュータユニットは、自動的に動作するか及び／又はユーザの命令を実行する。コンピュータプログラムが、データプロセッサの作業メモリにロードされてよい。したがって、データプロセッサは、本発明の方法を実行する能力を備えている。
【００６２】
本発明のこの例示的な実施形態は、最初から本発明を使用するコンピュータプログラムと、アップデートによって、既存のプログラムを、本発明を使用するプログラムに変えるコンピュータプログラムとの両方を対象とする。
【００６３】
更に、コンピュータプログラム要素は、上記方法の例示的な実施形態の手順を満たす全ての必要なステップを提供することができる。
【００６４】
本発明の更なる例示的な実施形態によれば、ＣＤ−ＲＯＭといったコンピュータ可読媒体が提示される。コンピュータ可読媒体に、コンピュータプログラム要素が記憶され、コンピュータプログラム要素は上記セクションに説明されている。コンピュータプログラムは、他のハードウェアと共に又は他のハードウェアの一部として供給される光学記憶媒体又は固体媒体といった適切な媒体上に記憶される及び／又は分散配置されるが、インターネット又は他の有線若しくは無線通信システムを介した形態といった他の形態で分配されてもよい。
【００６５】
しかし、コンピュータプログラムは、ワールドワイドウェブといったネットワークを介して提示され、当該ネットワークからデータプロセッサの作業メモリにダウンロードされてもよい。本発明の更なる例示的な実施形態によれば、ダウンロード用にコンピュータプログラム要素を利用可能にする媒体が提供され、当該コンピュータプログラム要素は、本発明の上記実施形態のうちの１つによる方法を行うように構成される。
【００６６】
なお、本発明の実施形態は、様々な主題を参照して説明されている。具体的には、方法タイプのクレームを参照して説明される実施形態もあれば、デバイスタイプのクレームを参照して説明される実施形態もある。しかし、当業者であれば、上記及び下記の説明から、特に明記されない限り、１つのタイプの主題に属する特徴の任意の組み合わせに加えて、様々な主題に関連する特徴の任意の組み合わせも、本願によって開示されていると見なされると理解できるであろう。しかし、全ての特徴は、特徴の単なる足し合わせ以上の相乗効果を提供する限り、組み合わされることが可能である。
【００６７】
本発明は、図面及び上記説明において詳細に例示され、説明されたが、当該例示及び説明は、例示的に見なされるべきであり、限定的に見なされるべきではない。本発明は、開示される実施形態に限定されない。開示された実施形態の他の変形態様は、図面、開示内容及び従属請求項の検討から、請求項に係る発明を実施する当業者によって理解され、実施される。
【００６８】
請求項において、「含む」との用語は、他の要素又はステップを排除するものではなく、また、単数形も、複数形を排除するものではない。単一のプロセッサ又は他のユニットが、請求項に引用される幾つかのアイテムの機能を果たしてもよい。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
2020525152.tif 000003
【図２】
2020525152.tif 000004
【図３】
2020525152.tif 000005
【図４】
2020525152.tif 000006
【国際調査報告】
2020525152.tif 000007
2020525152.tif 000008
2020525152.tif 000009